(57)【特許請求の範囲】
【請求項１】
外周面に送りねじ部を有し、駆動力の発生に伴い軸線を中心に回転するリードスクリュと、
該リードスクリュの前記送りねじ部に係合する係合部を有し、該係合部が前記リードスクリュの回転時に前記送りねじ部に係合案内されることにより、前記リードスクリュの軸線方向に沿って進退移動する少なくとも１つの移動部材と、
互いに動作目的及び動作領域を異にして各々配設された複数の被駆動部材と、を備え、
同じリードスクリュに係合する前記移動部材が移動する際には、前記移動部材は各被駆動部材を各々動作させる構成とした駆動力伝達装置。
【請求項２】
前記移動部材は、前記各被駆動部材のうち少なくとも１つの被駆動部材と個別に対応する連係部を有しており、該連係部を介して連係状態となった被駆動部材を、その移動部材の移動途中に連動して動作させる構成とされている請求項１に記載の駆動力伝達装置。
【請求項３】
前記送りねじ部は、ピッチの大きさが相対的に小さい第１送りねじ部とピッチの大きさが相対的に大きい第２送りねじ部とを有する構成とされている請求項１又は請求項２に記載の駆動力伝達装置。
【請求項４】
前記移動部材は、前記リードスクリュの回転時に該リードスクリュの軸線方向に沿って順次に移動する複数の移動部材からなり、前記各被駆動部材は、前記リードスクリュの軸線方向において、前記各移動部材が移動する際に対応する移動部材と連係した状態で動作を開始する順番に配置されている請求項１〜請求項３のうち何れか一項に記載の駆動力伝達装置。
【請求項５】
液体を噴射する液体噴射ヘッドのノズル形成面を封止可能な封止位置と前記ノズル形成面から離間した非封止位置との間を移動自在とされたキャップ手段と、前記液体噴射ヘッドのノズル形成面に付着している液体を払拭可能な払拭位置と該払拭位置から離間した非払拭位置との間を移動自在とされた払拭手段と、前記液体を圧送するための液体流路内を大気に対して連通状態とする開放位置と大気に対して非連通状態とする閉鎖位置との間を移動自在とされた弁手段と、前記液体噴射ヘッドから非印刷時に吐出される前記液体を受容可能に前記ノズル形成面に対向配置される受容位置と該受容位置から離間した非受容位置との間を移動自在とされた液体受容手段のうち、少なくとも２つの手段を含んで構成される複数の被駆動部材と、
外周面に送りねじ部を有し、駆動力の発生に伴い軸線を中心に回転するリードスクリュと、
該リードスクリュの前記送りねじ部と係合し、前記リードスクリュの回転時に前記リードスクリュの軸線方向に沿って進退移動する少なくとも１つの移動部材とを備え、
同じリードスクリュに係合する前記移動部材が移動する際には、前記複数の被駆動部材のうち少なくとも２つの各被駆動部材を各々動作させる構成とした液体噴射装置。
【請求項６】
前記移動部材は、前記各被駆動部材のうち少なくとも１つの被駆動部材と個別に対応する連係部を有しており、該連係部を介して連係状態となった被駆動部材を、その移動部材の移動途中に連動して動作させる構成とされている請求項５に記載の液体噴射装置。
【請求項７】
前記送りねじ部は、ピッチの大きさが相対的に小さい第１送りねじ部とピッチの大きさが相対的に大きい第２送りねじ部とを有する構成とされている請求項５又は請求項６に記載の液体噴射装置。
【請求項８】
前記移動部材は、前記リードスクリュの回転時に該リードスクリュの長手方向に沿って順次に移動する複数の移動部材からなり、前記各被駆動部材は、前記リードスクリュの長手方向において、前記各移動部材が移動する際に対応する移動部材と連係した状態で動作を開始する順番に配置されている請求項５〜請求項７のうち何れか一項に記載の液体噴射装置。
【発明の詳細な説明】
【技術分野】
【０００１】
本発明は、駆動力伝達装置、機械装置、及び液体噴射装置に関する。
【背景技術】
【０００２】
従来から、記録ヘッド（液体噴射ヘッド）のノズル形成面に形成されたノズル開口からターゲットに対してインク（液体）を噴射させる液体噴射装置として、インクジェット式プリンタ（以下、単に「プリンタ」という。）が広く知られている。ところが、こうしたプリンタでは、記録ヘッドのノズル開口から噴射されたインクが、そのノズル開口近傍に残存したり、ターゲット（紙等の記録媒体）からの跳ね返りによりノズル形成面に付着したりする場合があった。
【０００３】
そして、このようにノズル形成面にインクが付着した場合には、ノズル開口からのインクの噴射方向がずれたり、ノズル開口が目詰まりしたりする結果、印刷不良を引き起こす虞があった。そこで、こうしたプリンタには、通常、記録ヘッドのノズル開口から非印刷時にインクを強制的に吐出させて受容するフラッシングボックスや、ノズル形成面に付着したインクを払拭して除去するワイパ部材など、互いに動作目的及び動作領域を異にする複数の被駆動部材が設けられている（例えば特許文献１参照）。
【０００４】
すなわち、この特許文献１のプリンタには、記録ヘッドのノズル形成面の下方に水平な軸線を中心に回転する回転ドラム（駆動力伝達部材）が設けられ、その回転ドラムの軸部には先端に払拭手段及びフラッシングボックスを保持したアーム部材（移動部材）が回転ドラムの回転に伴って揺動するように支持されている。そして、回転ドラムの回転に伴いアーム部材を揺動させることにより、フラッシングボックスをノズル形成面と対向する液体受容位置とその液体受容位置から離間した非液体受容位置（特許文献１では退避位置）との間で移動させるようにしている。
【０００５】
また、このフラッシングボックスと共にアーム部材の先端に保持された払拭手段は次のような構成となっている。すなわち、アーム部材の先端におけるフラッシングボックスの保持位置よりも更に先端側には、回転ドラムの軸部と平行な方向へリードスクリュ（駆動力伝達部材）が複数架設され、各リードスクリュにはワイパ部材を支持したワイパホルダ（移動部材、特許文献１ではワイパキャリア）が各リードスクリュの軸線方向へ進退移動可能に装着されている。そして、回転ドラムの回転に伴いアーム部材を揺動させて払拭手段を記録ヘッドのノズル形成面の直下まで移動させた後、駆動力の発生に伴いリードスクリュを回転させることにより、ワイパ部材をノズル形成面との摺接によって撓み変形しながらノズル形成面を払拭する払拭位置とその払拭位置から離間した非払拭位置との間で移動させるようにしている。
【特許文献１】特開２００１−３０５０７号公報
【発明の開示】
【発明が解決しようとする課題】
【０００６】
ところで、特許文献１のプリンタでは、フラッシングボックス及びワイパ部材からなる複数の被駆動部材に対して、それら各被駆動部材と個別に対応する複数の駆動力伝達部材（回転ドラム、リードスクリュ）と複数の移動部材（アーム部材、ワイパホルダ）を必要とする構成になっている。すなわち、動作目的及び動作領域を異にする被駆動部材毎に、駆動力伝達部材と移動部材からなる駆動力伝達装置がそれぞれ個別に必要な構成となっている。
【０００７】
また、同じワイパ部材であっても、ブラックインク用のノズル列のみを払拭する単列用のワイパ部材（被駆動部材）と、カラーインク用の各ノズル列を払拭する複数列用のワイパ部材（被駆動部材）とは、それぞれ専用のワイパホルダ（移動部材）に支持されると共に、それら各ワイパホルダも、それぞれ専用のリードスクリュ（駆動力伝達部材）に装着されている。したがって、この点でも、特許文献１のプリンタでは、動作目的及び動作領域を異にする被駆動部材毎に、専用の駆動力伝達装置をそれぞれ必要とする構成となっている。
【０００８】
さらに、こうしたプリンタにおいては、一般に、フラッシングボックスやワイパ部材の他に、記録ヘッドのノズル形成面を封止自在に昇降動作するキャップ部材や各種のバルブなど、駆動源からの駆動力伝達を受けた場合に、それぞれの動作目的及び動作領域を異にして変位動作する被駆動部材が複数存在する。そして、従来は、このように複数存在する被駆動部材（キャップ部材、バルブなど）毎にも専用の駆動力伝達装置を具備していた。したがって、それら被駆動部材毎に対応する複数の駆動力伝達装置により、プリンタ全体が大型化及び複雑化するという問題があった。
【０００９】
本発明は、このような従来技術に存在する問題点に着目してなされたものである。その目的とするところは、互いに動作目的及び動作領域を異にして配置された複数の被駆動部材に駆動力を伝達する駆動力伝達構造の小型化及び簡略化を図ることができる駆動力伝達装置及び機械装置並びに液体噴射装置を提供することにある。
【課題を解決するための手段】
【００１０】
上記目的を達成するために、駆動力伝達装置に係る本発明は、外周面に送りねじ部を有し、駆動力の発生に伴い軸線を中心に回転するリードスクリュと、該リードスクリュの前記送りねじ部に係合する係合部を有し、該係合部が前記リードスクリュの回転時に前記送りねじ部に係合案内されることにより、前記リードスクリュの軸線方向に沿って進退移動する少なくとも１つの移動部材とを備え、前記リードスクリュの回転に伴い前記移動部材が移動する際には、互いに動作目的及び動作領域を異にして各々配設された複数の被駆動部材に対して前記移動部材が同じリードスクリュからの駆動力を伝達可能な状態で連係し、該駆動力に基づき前記移動部材と連係状態となっている各被駆動部材を各々動作させる構成とした。
【００１１】
この構成によれば、複数の被駆動部材が、同じリードスクリュからの駆動力を移動部材と連係状態となったときに伝達されることにより、その伝達された駆動力に基づき各々の動作目的を達成するために各々の動作領域において各々動作するようになる。したがって、互いに動作目的及び動作領域を異にして配置された複数の被駆動部材に対して、駆動力伝達構造の小型化及び簡略化を図りつつ駆動力を確実に伝達することができる。
【００１２】
また、本発明の駆動力伝達装置において、前記移動部材は、前記各被駆動部材のうち少なくとも１つの被駆動部材と個別に対応する連係部を有しており、該連係部を介して連係状態となった被駆動部材を、その移動部材の移動途中に連動して動作させる構成とされている。
【００１３】
この構成によれば、少なくとも１つの被駆動部材と個別に対応する連係部を有した移動部材がリードスクリュの回転に伴い移動する途中において、この移動部材と連係部を介して連係状態となった被駆動部材が他の被駆動部材とは別に独自の動作をするようになり、被駆動部材毎に個別動作させることが可能となる。
【００１４】
また、本発明の駆動力伝達装置において、前記送りねじ部は、ピッチの大きさが相対的に小さい第１送りねじ部とピッチの大きさが相対的に大きい第２送りねじ部とを有する構成とされている。
【００１５】
この構成によれば、リードスクリュを等速度で回転させても、移動部材が第１送りねじ部に係合しながら移動する場合と第２送りねじ部に係合しながら移動する場合とで、駆動力の伝達態様に差を持たせることが可能となる。すなわち、移動部材が第１送りねじ部に係合しながら移動する場合に比して、移動部材が第２送りねじ部に係合しながら移動する場合には、その移動部材と個別対応する被駆動部材を迅速に動作させることができるようになる。
【００１６】
また、本発明の駆動力伝達装置において、前記移動部材は、前記リードスクリュの回転時に該リードスクリュの軸線方向に沿って順次に移動する複数の移動部材からなり、前記各被駆動部材は、前記リードスクリュの軸線方向において、前記各移動部材が移動する際に対応する移動部材と連係した状態で動作を開始する順番に配置されている。
【００１７】
この構成によれば、リードスクリュの軸線方向へ各移動部材が順次に移動すると、それら各移動部材の移動順に従って、各被駆動部材がリードスクリュの軸線方向において順次に動作を開始するようになる。したがって、移動させる移動部材を選択することで、動作させたい被駆動部材を所望どおりに動作させることが可能となる。
【００１８】
一方、機械装置に係る本発明は、互いに動作目的及び動作領域を異にして各々配設された複数の被駆動部材と、外周面に送りねじ部を有し、駆動力の発生に伴い軸線を中心に回転するリードスクリュと、該リードスクリュの前記送りねじ部に係合する係合部を有し、該係合部が前記リードスクリュの回転時に前記送りねじ部に係合案内されることで前記リードスクリュの軸線方向に沿って進退移動する少なくとも１つの移動部材とを備え、前記リードスクリュの回転に伴い前記移動部材が移動する際には、前記各被駆動部材に対して前記移動部材が同じリードスクリュからの駆動力を伝達可能な状態で連係し、該駆動力に基づき前記移動部材と連係状態となっている各被駆動部材を各々動作させる構成とした。
【００１９】
この構成によれば、上記駆動力伝達装置の場合と同様に、複数の被駆動部材が、同じリードスクリュからの駆動力を移動部材と連係状態となったときに伝達されることにより、その伝達された駆動力に基づき各々の動作目的を達成するために各々の動作領域において各々動作するようになる。したがって、機械装置における互いに動作目的及び動作領域を異にして配置された複数の被駆動部材に対して、駆動力伝達構造の小型化及び簡略化を図りつつ駆動力を確実に伝達することができる。
【００２０】
また、本発明の機械装置において、前記移動部材は、前記各被駆動部材のうち少なくとも１つの被駆動部材と個別に対応する連係部を有しており、該連係部を介して連係状態となった被駆動部材を、その移動部材の移動途中に連動して動作させる構成とされている。
【００２１】
この構成によれば、上記駆動力伝達装置の場合と同様に、少なくとも１つの被駆動部材と個別に対応する連係部を有した移動部材がリードスクリュの回転に伴い移動する途中において、この移動部材と連係部を介して連係状態となった被駆動部材が他の被駆動部材とは別に独自の動作をするようになる。したがって、機械装置における複数の被駆動部材を被駆動部材毎に個別動作させることが可能となる。
【００２２】
また、本発明の機械装置において、前記送りねじ部は、ピッチの大きさが相対的に小さい第１送りねじ部とピッチの大きさが相対的に大きい第２送りねじ部とを有する構成とされている。
【００２３】
この構成によれば、上記駆動力伝達装置の場合と同様に、リードスクリュを等速度で回転させても、移動部材が第１送りねじ部に係合しながら移動する場合と第２送りねじ部に係合しながら移動する場合とで、駆動力の伝達態様に差を持たせることが可能となる。すなわち、移動部材が第１送りねじ部に係合しながら移動する場合に比して、移動部材が第２送りねじ部に係合しながら移動する場合には、その移動部材と個別対応する被駆動部材を迅速に動作させることができるようになる。
【００２４】
また、本発明の機械装置において、前記移動部材は、前記リードスクリュの回転時に該リードスクリュの軸線方向に沿って順次に移動する複数の移動部材からなり、前記各被駆動部材は、前記リードスクリュの軸線方向において、前記各移動部材が移動する際に対応する移動部材と連係した状態で動作を開始する順番に配置されている。
【００２５】
この構成によれば、上記駆動力伝達装置の場合と同様に、リードスクリュの軸線方向へ各移動部材が順次に移動すると、それら各移動部材の移動順に従って、各被駆動部材がリードスクリュの軸線方向において順次に動作を開始するようになる。したがって、移動させる移動部材を選択することで、その機械装置において動作させたい被駆動部材を所望どおりに動作させることが可能となる。
【００２６】
さらに、液体噴射装置に係る本発明は、液体を噴射する液体噴射ヘッドのノズル形成面を封止可能な封止位置と前記ノズル形成面から離間した非封止位置との間を移動自在とされたキャップ手段と、前記液体噴射ヘッドのノズル形成面に付着している液体を払拭可能な払拭位置と該払拭位置から離間した非払拭位置との間を移動自在とされた払拭手段と、前記液体を圧送するための液体流路内を大気に対して連通状態とする開放位置と大気に対して非連通状態とする閉鎖位置との間を移動自在とされた弁手段と、前記液体噴射ヘッドから非印刷時に吐出される前記液体を受容可能に前記ノズル形成面に対向配置される受容位置と該受容位置から離間した非受容位置との間を移動自在とされた液体受容手段のうち、少なくとも２つの手段を含んで構成される複数の被駆動部材と、駆動力の発生に伴い一定位置で作動する駆動力伝達部材と、該駆動力伝達部材の作動に伴い所定方向に移動する少なくとも１つの移動部材とを備え、前記駆動力伝達部材の作動開始に伴い前記移動部材が移動する際には、前記複数の被駆動部材のうち少なくとも２つの被駆動部材に対して前記移動部材が前記駆動力伝達部材からの駆動力を伝達可能な状態で連係し、該駆動力に基づき前記移動部材と連係状態となっている各被駆動部材を各々動作させる構成とした。
【００２７】
この構成によれば、複数の被駆動部材が、同じ駆動力伝達部材からの駆動力を移動部材と連係状態となったときに伝達されることにより、その伝達された駆動力に基づき各々の動作目的を達成するために各々の動作領域において各々動作するようになる。したがって、液体噴射装置における互いに動作目的及び動作領域を異にして配置された複数の被駆動部材に対して、駆動力伝達構造の小型化及び簡略化を図りつつ駆動力を確実に伝達することができる。
【００２８】
また、本発明の液体噴射装置において、前記移動部材は、前記各被駆動部材のうち少なくとも１つの被駆動部材と個別に対応する連係部を有しており、該連係部を介して連係状態となった被駆動部材を、その移動部材の移動途中に連動して動作させる構成とされている。
【００２９】
この構成によれば、少なくとも１つの被駆動部材と個別に対応する連係部を有した移動部材が駆動力伝達部材の作動に伴い移動する途中において、この移動部材と連係部を介して連係状態となった被駆動部材が他の被駆動部材とは別に独自の動作をするようになる。したがって、液体噴射装置における複数の被駆動部材を被駆動部材毎に個別動作させることが可能となる。
【００３０】
また、本発明の液体噴射装置において、前記駆動力伝達部材は、その外周面に送りねじ部を有して前記駆動力の発生に伴い軸線を中心に回転する長棒状の送り部材で構成されており、前記移動部材は、前記送り部材の送りねじ部に係合する係合部を有し、該係合部が前記送り部材の回転時に前記送りねじ部に係合案内されることにより、前記送り部材の長手方向に沿って進退移動する構成とされている。
【００３１】
この構成によれば、駆動力伝達部材が長棒状の送り部材にて構成されるため、駆動力伝達部材の設置スペースが確保しやすくなり、その分、液体噴射装置の小型化に貢献できるようになる。
【００３２】
また、本発明の液体噴射装置において、前記送りねじ部は、ピッチの大きさが相対的に小さい第１送りねじ部とピッチの大きさが相対的に大きい第２送りねじ部とを有する構成とされている。
【００３３】
この構成によれば、送り部材を等速度で回転させても、移動部材が第１送りねじ部に係合しながら移動する場合と第２送りねじ部に係合しながら移動する場合とで、駆動力の伝達態様に差を持たせることが可能となる。すなわち、移動部材が第１送りねじ部に係合しながら移動する場合に比して、移動部材が第２送りねじ部に係合しながら移動する場合には、その移動部材と個別対応する被駆動部材を迅速に動作させることができるようになる。
【００３４】
また、本発明の液体噴射装置において、前記移動部材は、前記送り部材の回転時に該送り部材の長手方向に沿って順次に移動する複数の移動部材からなり、前記各被駆動部材は、前記送り部材の長手方向において、前記各移動部材が移動する際に対応する移動部材と連係した状態で動作を開始する順番に配置されている。
【００３５】
この構成によれば、送り部材の軸線方向へ各移動部材が順次に移動すると、それら各移動部材の移動順に従って、各被駆動部材が送り部材の軸線方向において順次に動作を開始するようになる。したがって、移動させる移動部材を選択することで、その液体噴射装置において動作させたい被駆動部材を所望どおりに動作させることが可能となる。
【００３６】
また、本発明の液体噴射装置において、前記送り部材は、その外周面に送りねじ部が形成されたリードスクリュで構成されている。
この構成によれば、リードスクリュという汎用部品を利用して、液体噴射装置における駆動力伝達構造の小型化と簡略化を容易に図ることができる。
【発明を実施するための最良の形態】
【００３７】
以下、本発明に係る駆動力伝達装置及び機械装置並びに液体噴射装置を、インクジェット式プリンタに具体化した実施形態を図面に基づいて説明する。
図１に示すように、本実施形態の液体噴射装置及び機械装置としてのプリンタ１０は、略箱状をなす本体ケース１１を備えている。本体ケース１１内の下部には、その長手方向（図１において左右方向となる主走査方向）に沿ってプラテン１２が架設されると共に、そのプラテン１２の下側には図示しない廃インクタンクが設けられている。プラテン１２は、ターゲットとしての用紙Ｐを支持する支持台であり、紙送り機構１３が有する紙送りモータ１４の駆動力に基づき、用紙Ｐを主走査方向と直交する副操作方向（図１において前後方向）に沿って給送するようになっている。
【００３８】
また、本体ケース１１内においてプラテン１２の上方にはガイド軸１５が架設され、このガイド軸１５にはキャリッジ１６が移動可能に挿通支持されている。また、本体ケース１１の内面においてガイド軸１５の両端部と対応する位置には、駆動プーリ１７及び従動プーリ１８が回転自在に支持されている。駆動プーリ１７にはキャリッジ１６を往復移動させる際の駆動源となるキャリッジモータ１９が連結され、これら一対のプーリ１７，１８間には、キャリッジ１６を固定支持したタイミングベルト２０が掛装されている。従って、キャリッジ１６は、ガイド軸１５にガイドされながら、キャリッジモータ１９の駆動によりタイミングベルト２０を介して主走査方向に移動可能となっている。
【００３９】
また、図１に示すように、キャリッジ１６の下面側には、液体噴射ヘッドとしての記録ヘッド２１が設けられている。そして、図２に示すように、この記録ヘッド２１の下面にて構成されるノズル形成面２１ａには、複数のノズル開口２２が、前後方向に沿う複数列（図２では５列）のノズル列２２Ａ，２２Ｂ，２２Ｃ，２２Ｄ，２２Ｅを形成するようにして左右方向へ一定の間隔をおいて形成されている。ちなみに、本実施形態では、図２において最右端に位置するノズル列２２Ｅが白黒印刷用のブラックインクを噴射するノズル開口２２にて形成され、それ以外の各ノズル列２２Ａ〜２２Ｄがカラー印刷用のカラーインクを噴射するノズル開口２２にて形成されている。
【００４０】
一方、図１に示すように、キャリッジ１６上には記録ヘッド２１に対してインクを供給するための複数（本実施形態の場合は５つ）のインクカートリッジ２３が着脱可能に搭載されている。これらの各インクカートリッジ２３は記録ヘッド２１のノズル形成面２１ａに形成された各ノズル列２２Ａ〜２２Ｅと個別に対応するものであり、記録ヘッド２１内に形成された図示しないインク流路を介して対応するノズル列２２Ａ〜２２Ｅの各ノズル開口２２にインクを個別供給する構成とされている。ちなみに、本実施形態では、図１において最右端に位置するインクカートリッジ２３には白黒印刷用のブラックインクが収容され、それ以外の各インクカートリッジ２３にはカラー印刷用の各色カラーインクが各々収容されている。
【００４１】
さらに、本体ケース１１の一端部（図１では右端部）、すなわち、用紙Ｐが至らない非印刷領域には、プリンタ１０の電源オフ時や記録ヘッド２１のノズル形成面２１ａをメンテナンスする場合にキャリッジ１６を位置させるためのホームポジションＨＰが設けられている。そして、このホームポジションＨＰの下方となる位置には、記録ヘッド２１からの用紙Ｐに対するインク噴射が良好に維持されるように、各種のメンテナンス動作を行うメンテナンスユニット２４が設けられている。
【００４２】
以下、このメンテナンスユニット２４の具体的構成について、図３〜図１４を参照しながら説明する。
図３〜図５に示すように、メンテナンスユニット２４は、略矩形枠体状をなすユニット本体２５を有している。このユニット本体２５は、後側が開口した略箱体状の後側ケーシング２５ａ、同じく後側が開口し且つ後側ケーシング２５ａよりも前後方向に大きな略箱体状をなす前側ケーシング２５ｂ、両ケーシング２５ａ，２５ｂの右端間を連結する右側フレーム２５ｃ、及び両ケーシング２５ａ，２５ｂの左端間を連結する左側フレーム２５ｄを有している。そして、ユニット本体２５における後側ケーシング２５ａの後側には、その後側ケーシング２５ａの後側開口を塞ぐように、右側半分にモータ収容部２６ａ（図４参照）が後側から前側へ凹み形成された補助ケーシング２６が取り付けられている。
【００４３】
また、ユニット本体２５の下側には、図３〜図５に示すように、ユニット本体２５の左右幅よりも幅広な取付プレート２７が水平状態に固定され、この取付プレート２７には、ポンプ用モータ２８及びチューブポンプからなる吸引ポンプ２９が、図４及び図６に示すように、取付ブラケット２７ａを介して斜状に支持されている。そして、メンテナンスユニット２４は、ユニット本体２５における取付プレート２７が図示しない取付手段を介して本体ケース１１に支持されることにより、図１に示すように、本体ケース１１内におけるホームポジションＨＰの下方位置に固定されている。
【００４４】
また、図４，図５に示すように、メンテナンスユニット２４において、補助ケーシング２６のモータ収容部２６ａ内には、正逆回転可能な駆動モータ（駆動源）３０が取り付けられている。そして、駆動モータ３０は、その出力軸３０ａ（図５参照）が補助ケーシング２６を貫通して前側へと延設され、その出力軸３０ａの先端がユニット本体２５における後側ケーシング２５ａ内に位置する構成とされている。
【００４５】
一方、図３〜図５に示すように、ユニット本体２５における後側ケーシング２５ａと前側ケーシング２５ｂとの間には、駆動力伝達部材及び送り部材としての右側リードスクリュ３１と左側リードスクリュ３２が、左右各フレーム２５ｃ，２５ｄの上方で且つ内側寄りとなる位置で前後方向に沿う水平状態での回転自在に架設されている。これら各リードスクリュ３１，３２は、図７に示すように、その長手方向における前端側と後端側の外周面にピッチの大きさが比較的小さい第１送りねじ部３３，３５を有すると共に、その長手方向における略中央部の外周面にピッチの大きさが比較的大きい第２送りねじ部３４，３６を有する構成とされている。そして、右側リードスクリュ３１の後端部と左側リードスクリュ３２の後端部は後側ケーシング２５ａ内に各々導入されている。
【００４６】
図６は、図４に示すメンテナンスユニット２４からユニット本体２５及び補助ケーシング２６を除去した状態を示すものであるが、この図６に示すように、両リードスクリュ３１，３２の各後端部には歯付きプーリ３７，３８が各々装着され、両歯付きプーリ３７，３８間には無端状のピニオンベルト３９が掛装されている。また、右側のリードスクリュ３１の後端部に装着された歯付きプーリ３７は、駆動モータ３０における出力軸３０ａの先端に対して伝達ギア４０を介して動力伝達可能に連結されている。したがって、駆動モータ３０が回転することによる駆動力の発生に伴い、左右の両リードスクリュ３１，３２は各々の軸線Ｓ（図５参照）を中心に同じ方向へ同期回転する構成とされている。
【００４７】
また、図３〜図６に示すように、左右の両リードスクリュ３１，３２には、その軸線Ｓ方向に沿って、複数（本実施形態では左右一対ずつ合計６つ）の移動部材４１，４２，４３が螺合されている。すなわち、全ての移動部材４１，４２，４３が共通のリードスクリュ３１，３２に装着されている。これら各移動部材４１，４２，４３は、図８に示すように、リードスクリュ３１，３２に対する螺合部位となる筒状部４４の一部に孔４５が径方向に貫通形成され、その孔４５内に係合部としてのピン４６が嵌入されている。
【００４８】
そして、各筒状部４４内において、各ピン４６は、それらの先端がリードスクリュ３１，３２の第１送りねじ部３３，３５及び第２送りねじ部３４，３６間に亘って螺旋状に連続形成されたねじ溝４７に係合されている。したがって、このピン４６がリードスクリュ３１，３２の回転時にねじ溝４７に係合案内されることにより、各移動部材４１〜４３は左右一対ずつが組となって、同じリードスクリュ３１，３２の軸線Ｓ方向に沿って順次に進退移動する構成とされている。
【００４９】
ちなみに、本実施形態では、駆動モータ３０が正転駆動した場合に、両リードスクリュ３１，３２が正転方向へ回転し、各移動部材４１〜４３は後側ケーシング２５ａ側から前側ケーシング２５ｂ側へと前進移動するように構成されている。その一方、駆動モータ３０が逆転駆動した場合には、両リードスクリュ３１，３２が逆転方向へ回転し、各移動部材４１〜４３は前側ケーシング２５ｂ側から後側ケーシング２５ａ側へと後退移動するように構成されている。そして、これら両リードスクリュ３１，３２と各移動部材４１〜４３とにより本実施形態では駆動力伝達装置が構成されている。
【００５０】
ここで、各移動部材４１〜４３のうち、リードスクリュ３１，３２の軸線Ｓ方向において最も前側に位置する移動部材４１は、リードスクリュ３１，３２の回転に基づく駆動力を後述するキャップ手段及び弁手段に各々伝達するキャップ手段用及び弁手段用の移動部材４１として構成されている。また、リードスクリュ３１，３２の軸線Ｓ方向において前側から２番目に位置する移動部材４２は、リードスクリュ３１，３２の回転に基づく駆動力を後述する払拭手段に伝達する払拭手段用の移動部材４２として構成されている。また、リードスクリュ３１，３２の軸線Ｓ方向において最も後側に位置する移動部材４３は、リードスクリュ３１，３２の回転に基づく駆動力を後述する払拭手段及び液体受容手段に各々伝達する払拭手段用及び液体受容手段用の移動部材４３として構成されている。
【００５１】
まず、キャップ手段用及び弁手段用の移動部材４１について説明する。
図９〜図１１に示すように、このキャップ手段用及び弁手段用の移動部材４１には、前後方向に長い略長方形状のプレート部４８がユニット本体２５における左右の各フレーム２５ｃ，２５ｄの内側に垂下配置されるようにして一体形成されている。そして、このプレート部４８には移動部材４１においてキャップ手段に対する連係部として機能する案内長孔４９が形成されている。図９〜図１１に示すように、案内長孔４９は、プレート部４８の後端側下部から前後方向の略中間位置まで水平に延びる後側水平部４９ａと、後側水平部４９ａの前端からプレート部４８の前端側上部近傍に向けて斜状に延びる斜状部４９ｂと、斜状部４９ｂの前端からプレート部４８の前端側上部まで水平に延びる前側水平部４９ｃとを有している。
【００５２】
また、図９〜図１１に示すように、プレート部４８の内側となる位置であって、リードスクリュ３１，３２における第２送りねじ部３４，３６と対応する位置には、上方が開放された矩形枠体状のホルダ部材５０が配設されている。そして、このホルダ部材５０内にキャップ手段を構成するキャップ部材５１が、有底箱状をなすキャップホルダ５１ａ内に収容された状態でキャップホルダ５１ａと共に上下方向への移動自在に収容されている。なお、キャップ部材５１の下面とキャップホルダ５１ａの内底面との間には、図示しないコイルスプリングがキャップ部材５１を上方へ付勢するように介装されている。また、図９〜図１１は、メンテナンスユニット２４を左側から概観した状態を示すものであるため、この図９〜図１１には左右の両リードスクリュ３１，３２に関して左側リードスクリュ３２及びその送りねじ部３５，３６のみを図示している。
【００５３】
ここで、キャップ手段を構成するキャップ部材５１について説明する。
図３〜図６，図９〜図１１に示すように、キャップ部材５１は、略矩形箱状をなし、その上面側には記録ヘッド２１のノズル形成面２１ａに形成された各ノズル列２２Ａ，２２Ｂ，２２Ｃ，２２Ｄ，２２Ｅと各別に対応する複数（本実施形態では５つ）の矩形環状をなすシール部５２が形成されている。そして、各シール部５２の内側に凹設された各キャップ小室（図示略）内にはインク吸収材５３が収納され、各ノズル列２２Ａ〜２２Ｅのノズル開口２２から吐出されたインクを吸収保持するようになっている。
【００５４】
図９，図１０に示すように、キャップホルダ５１ａの左右両側壁外面からは凸部５４が水平方向へ各々突出形成され、各凸部５４は移動部材４１に一体形成されたプレート部４８の案内長孔４９内に係入されている。したがって、リードスクリュ３１，３２の回転に伴い移動部材４１（及びプレート部４８）が前後方向に進退移動した場合、キャップホルダ５１ａの凸部５４はプレート部４８の案内長孔４９内を摺動し、特に、その案内長孔４９の斜状部４９ｂに沿って摺動するときには、上下方向へ移動することになる。
【００５５】
すなわち、キャップ部材５１は、キャップホルダ５１ａの凸部５４がプレート部４８の案内長孔４９の前側水平部４９ｃ内に係入状態となったときに、最も上方に移動した封止位置状態となって、記録ヘッド２１のノズル形成面２１ａをシール部５２の密着作用により封止可能となる。一方、キャップ部材５１は、キャップホルダ５１ａの凸部５４がプレート部４８の案内長孔４９の後側水平部４９ａ内に係入状態となったときに、記録ヘッド２１のノズル形成面２１ａから離間した位置のうち最も下方に移動した非封止位置状態となる。
【００５６】
そして、キャップ部材５１は、リードスクリュ３１，３２の回転に伴い移動部材４１が第２送りねじ部３４，３６を通過する場合には、キャップホルダ５１ａの凸部５４が移動部材４１と一体的に移動するプレート部４８の案内長孔４９の斜状部４９ｂに摺動案内され、封止位置と非封止位置との間を、移動部材４１の移動途中に連動して昇降動作するようになっている。
【００５７】
また、図４，図５に示すように、キャップ部材５１の前側壁からは液体流路を構成するインク排出チューブ５５がインク吸収材５３を収納した各キャップ小室と各別に対応するように引き出され、それら各インク排出チューブ５５はユニット本体２５の下方に取付プレート２７を介して支持された吸引ポンプ２９内に引き込まれている。そして、キャップ部材５１が封止位置状態となって吸引ポンプ２９が駆動された場合には、各インク排出チューブ５５を介して対応するキャップ小室内から廃インクが吸引され、本体ケース１１内の下部に設けられた図示しない廃インクタンクに排出されるようになっている。
【００５８】
また、図３，図１２，図１３に示すように、左右一対の移動部材４１から一体的に各々垂下形成された両プレート部４８のうちユニット本体２５の右側フレーム２５ｃの内側に配置されるプレート部４８の外側面からは平面視略三角形状をなす押圧片５６が水平方向に突出形成されている。この押圧片５６は、移動部材４１において弁手段に対する連係部として機能するものであり、右側フレーム２５ｃに前後方向に沿って切欠形成された切欠溝５７を介してユニット本体２５の外側へ突出している。そして、リードスクリュ３１，３２の回転に伴い移動部材４１（及びプレート部４８）が前後方向に進退移動した場合には、その移動部材４１（及びプレート部４８）と共に前後方向に進退移動し、弁手段を有する大気開放弁装置５８を動作させるように構成されている。
【００５９】
ここで、弁手段を有する大気開放弁装置５８について説明する。
図３において特に明示されるように、大気開放弁装置５８は、ユニット本体２５における右側フレーム２５ｃの後端部外側に、前述した移動部材４１の押圧片５６の移動経路上に位置するようにして設けられている。図１２及び図１３に示すように、この大気開放弁装置５８はユニット本体２５の右側フレーム２５ｃに固定された有底四角箱状のケース部５９を有し、ケース部５９の底壁６０には、その底壁６０の前端側略半分の領域を占める矩形状の透孔６１が形成されている。
【００６０】
また、ケース部５９の底壁６０には上下両方向へ端部が各々突出する複数（本実施形態では５つ）の筒部６２が形成され、各筒部６２内が大気開放孔６３を構成している。各筒部６２の底壁６０下面から下方へ延びる端部にはそれぞれ大気チューブ６４の一端が連結され、それら各大気チューブ６４の他端は、図５に示すように、キャップ部材５１の後側壁内へ引き込まれて個別対応する各キャップ小室と連通するように構成されている。
【００６１】
その一方、ケース部５９内において各筒部６２の底壁６０上面側に突出する端部には、ゴムなどの弾性材料からなる弁座６５が大気開放孔６３の大気連通状態を確保する態様で冠着され、この弁座６５上には、図１２（ａ）及び図１３（ａ）（ｂ）に示すように矩形板状をなす弁手段としての弁体６６が載置されている。弁体６６の上面には、その左右両側で前後方向の略中間となる位置から、左右一対の係止片６７が互いにフック状をなして対向するように立設されている。
【００６２】
図１２（ａ）（ｂ）に示すように、両係止片６７の各外側面からはケース部５９の上端から下方へ切欠形成された切欠溝６８に係入される突起６９が突設されている。そして、弁体６６は、この突起６９が切欠溝６８内を上下方向に摺動することにより、大気チューブ６４及びキャップ小室を介して連通するインク排出チューブ５５内を大気に対して連通状態とする開放位置（上方位置）と大気に対して非連通状態とする閉鎖位置（下方位置）との間を移動する構成とされている。
【００６３】
ケース部５９において切欠溝６８よりも前端側となるケース部５９の上端位置からは、弁体６６を開閉動作させるために揺動するレバー部材７０を支持する支持溝７１が上下方向に切欠形成されている。レバー部材７０は、断面視逆Ｌ字状をなすように形成され、その屈曲部分の左右両端面から水平方向に突設した突起７２が支持溝７１内に係入されることにより、大気開放弁装置５８のケース部５９に揺動自在な状態で支持されている。
【００６４】
レバー部材７０は、その屈曲部分から水平アーム７３が水平方向の後側へ延設されると共に、その屈曲部分から垂下アーム７４が鉛直下方へ延設されている。すなわち、水平アーム７３は弁体６６と係止片６７のフック状上端部との間となる後方位置まで延設され、垂下アーム７４はケース部５９の底壁６０に形成された透孔６１を貫通する下方位置、具体的には移動部材４１の押圧片５６の移動軌跡と交差する位置まで延設されている。
【００６５】
また、図１２，図１３に示すように、ユニット本体２５の右側フレーム２５ｃにおいて大気開放弁装置５８のケース部５９の前側近傍には直方体状をなす台座７５が取り付けられている。台座７５の側面には鉤状部７６が突出形成され、この鉤状部７６とレバー部材７０の垂下アーム７４との間にはコイルスプリング７７が掛装されている。したがって、レバー部材７０は、このコイルスプリング７７の付勢力により、常には、垂下アーム７４が鉛直方向に沿うと共に、水平アーム７３が閉鎖位置状態にある弁体６６の係止片６７から下方へ僅かに離間して水平方向に沿った状態、すなわち、図１３（ａ）に示す位置状態となっている。
【００６６】
その一方、移動部材４１と共に押圧片５６が後退して垂下アーム７４をコイルスプリング７７の付勢力に抗して図１３（ｂ）に示すように押圧した場合には、レバー部材７０が突起７２を回転中心にして回転（揺動）し、水平アーム７３が係止片６７に係止して閉鎖位置にある弁体６６を上方の開放位置へと持ち上げるようになっている。このように、大気開放弁装置５８においては、レバー部材７０の垂下アーム７４が移動部材４１と一体的に移動する押圧片５６に押圧（又は非押圧）されることにより、弁体６６が下方の閉鎖位置と上方の開放位置との間を移動部材４１の移動途中に連動して昇降動作するようになっている。ちなみに、本実施形態の場合、押圧片５６は、移動部材４１がリードスクリュ３１，３２における後側の第１送りねじ部３３，３５を後端側へ後退した場合に、大気開放弁装置５８におけるレバー部材７０の垂下アーム７４を押圧するようになっている。
【００６７】
次に、払拭手段用の移動部材４２について説明する。
図３〜図６に示すように、この払拭手段用の移動部材４２には、移動部材４２において払拭手段に対する連係部として機能するワイパホルダ７８が左右一対の移動部材４２間を連結するように設けられている。ワイパホルダ７８の上面側には、払拭手段を構成するワイパ部材７９がワイパホルダ７８の長手方向全体に亘り少し斜め方向へ延びるように装着されている。そして、ワイパ部材７９は、リードスクリュ３１，３２の回転に伴い移動部材４２（及びワイパホルダ７８）が前後方向に進退移動した場合には、その移動部材４２（及びワイパホルダ７８）の移動途中に連動して前後方向に進退移動するようになっている。
【００６８】
ここで、ワイパ部材７９は、その先端（上端）を記録ヘッド２１のノズル形成面２１ａに摺接させながら前後方向に移動することにより、そのノズル形成面２１ａに形成された全ノズル列２２Ａ〜２２Ｅをカバーするようにノズル形成面２１ａ全面を払拭する全列用のワイパ部材７９として構成されている。したがって、キャリッジ１６（及び記録ヘッド２１）がホームポジションＨＰに位置している状態において、リードスクリュ３１，３２の回転に伴い移動部材４２が第２送りねじ部３４，３６を通過する場合には、ワイパ部材７９によって記録ヘッド２１のノズル形成面２１ａの全面が払拭されることになる。
【００６９】
次に、払拭手段用及び液体受容手段用の移動部材４３について説明する。
図３〜図６に示すように、この払拭手段用及び液体受容手段用の移動部材４３には、移動部材４３において払拭手段及び液体受容手段に対する連係部として機能するワイパホルダ８０が左右一対の移動部材４３間を連結するように設けられている。ワイパホルダ８０の上面側には払拭手段を構成するワイパ部材８１がワイパホルダ８０の長手方向における左端部近傍に装着されている。そして、ワイパ部材８１は、リードスクリュ３１，３２の回転に伴い移動部材４３（及びワイパホルダ８０）が前後方向に進退移動した場合には、その移動部材４３（及びワイパホルダ８０）の移動途中に連動して前後方向に進退移動するようになっている。
【００７０】
ここで、ワイパ部材８１は、その先端（上端）を記録ヘッド２１のノズル形成面２１ａに摺接させながら前後方向に移動することにより、そのノズル形成面２１ａに形成された全ノズル列２２Ａ〜２２Ｅのうち何れか１つのノズル列の形成領域のみ（ノズル形成面２１ａの一部）を払拭する単列用のワイパ部材８１として構成されている。すなわち、この単列用のワイパ部材８１を使用する場合には、ホームポジションＨＰにおいてキャリッジ１６（及び記録ヘッド２１）の左右方向位置が払拭対象となる１つのノズル列をワイパ部材８１の前後方向に沿う移動経路と位置的に対応させるべく移動調節される。その後、リードスクリュ３１，３２の回転に伴い移動部材４３が第２送りねじ部３４，３６を通過した場合には、ワイパ部材８１によって記録ヘッド２１のノズル形成面２１ａの一部（その際に払拭対象とされた１つのノズル列の形成領域のみ）が払拭されることになる。
【００７１】
また、図５，図９〜図１１に示すように、ユニット本体２５における後側ケーシング２５ａの前壁面からは左右一対の支持片８２が前方へ向けて突設され、各支持片８２の先端部上縁からは切欠溝８３が後方側へ鉤状をなすように切欠形成されている。この左右両支持片８２間には、前面側がシール面とされた矩形板状のシール板８４が配置され、このシール板８４は左右両端面から水平方向に突出させた軸部８５を対応する支持片８２の切欠溝８３内に係入させることにより、その軸部８５を回動中心として回動自在に支持されている。
【００７２】
また、支持片８２よりも少し上方となる位置で後側ケーシング２５ａの前壁面とシール板８４の後面との間にはコイルスプリング８６が介装され、このコイルスプリング８６の付勢力により、シール板８４は、常には、軸部８５を回動中心として図９〜図１１における時計方向へ回動付勢されている。また、支持片８２よりも下方となる位置で後側ケーシング２５ａの前壁面からはストッパとして機能する突起８７が前方に向けて突設され、その突起８７に対してコイルスプリング８６により回動付勢されたシール板８４の後面下部が当接した場合には、シール板８４のそれ以上の回動を規制するようになっている。
【００７３】
また、図３，図５，図９〜図１１に示すように、シール板８４とワイパホルダ８０との間には液体受容手段を構成するフラッシングボックス８８が配置されている。図１４に示すように、このフラッシングボックス８８は、記録ヘッド２１のノズル形成面２１ａと対応した矩形状の開口部８８ａを有する有底箱体状をなし、その内部にはキャップ部材５１のキャップ小室内に収納されたインク吸収材５３と同材質の液体吸収材８８ｂがワイヤ８８ｃにて抜け止めされた状態で収納されている。
【００７４】
また、図３，図５に示すように、フラッシングボックス８８の底面の一端側（図３，図５の場合、上端側）の略中央には液体排出路を構成する廃液チューブ８９の一端がフラッシングボックス８８内と連通するように接続されている。この廃液チューブ８９の他端側は吸引ポンプ２９内に引き込まれた後、本体ケース１１内の下部に設けられた図示しない廃インクタンク内に引き込まれている。
【００７５】
さらに、図１４に示すように、フラッシングボックス８８の一端側（図３，図５，図６の場合、上端側）の左右両端からは左右一対のピン部８８ｄが水平方向へ突設され、これら各ピン部８８ｄは、前述したワイパホルダ８０の左右後端部から後方に向けて突設された左右一対の支持片９０に対して回動可能に軸支されている。したがって、フラッシングボックス８８は、ワイパホルダ８０の後面側から突設された左右一対の支持片９０によって左右一対のピン部８８ｄが回動可能に軸支されることにより、ワイパホルダ８０に対して一端側（上端側）のピン部８８ｄを回動支点として回動自在に支持されている。
【００７６】
ここで、図３，図５，図９（ａ）に示すように、フラッシングボックス８８は、記録ヘッド２１から吐出されるインクを受容しない不使用時には、その開口部８８ａが前側への横向きとなる垂直状態となって非受容位置に保持され、その開口部８８ａがシール板８４におけるシール面とされた前面により閉塞されるようになっている。すなわち、シール板８４により開口部８８ａが閉塞されることで、フラッシングボックス８８内に収納された液体吸収材８８ｂが吸収保持しているインクの乾燥固化が抑制されるようにしている。
【００７７】
一方、図１４に示すように、フラッシングボックス８８の他端側（図９〜図１１の場合、下端側）における左右両端部からは左右一対の板片状をなす脚部９１がフラッシングボックス８８の底面から斜め外方（図９（ａ）の場合は斜め前側下方）へ延びるように一体形成され、各脚部９１の先端部内側からはピン部９２が水平方向へ各々突設されている。これら各脚部９１は、前述したホルダ部材５０における後端部の左右両端から立設された左右一対の板片状をなす支柱部５０ａの基部５０ｂと左右方向位置が対応しており、図９に示すように、フラッシングボックス８８が不使用時で略垂直状態となっている場合には、対応する支柱部５０ａの基部５０ｂに後側から当接する構成とされている。
【００７８】
ホルダ部材５０における左右両支柱部５０ａの高さ方向略中間位置の内側からは、前述したフラッシングボックス８８における脚部９１のピン部９２と対応するように左右一対のピン部９３が水平方向へ各々突設されている。そして、互いに対応するピン部９２とピン部９３との間にはコイルスプリング９４が掛装され、このコイルスプリング９４の付勢力により、フラッシングボックス８８は、その一端側（上端側）のピン部８８ｄを回動支点として、常には、脚部９１がホルダ部材５０における支柱部５０ａの基部５０ｂに圧接される方向（図９〜図１１では反時計方向）へ回動付勢されている。
【００７９】
また、図９〜図１１に示すように、ホルダ部材５０における左右両支柱部５０ａの各内面側で上端からフラッシングボックス８８の深さ相当距離だけ下方となる位置には、左右両支柱部５０ａの対向面間の距離をフラッシングボックス８８の左右方向幅よりも若干大きくするように拡幅段差部９５が形成されている。すなわち、フラッシングボックス８８は、ホルダ部材５０における左右両支柱部５０ａ間を、拡幅段差部９５の上方側を通過することにより前後方向へ移動可能とされている。
【００８０】
したがって、フラッシングボックス８８は、リードスクリュ３１，３２の回転に伴い移動部材４３（及びワイパホルダ８０）が前後方向に進退移動した場合には、その移動部材４３（及びワイパホルダ８０）の移動途中に連動して前後方向へ進退移動するようになっている。すなわち、フラッシングボックス８８は、リードスクリュ３１，３２の回転に伴い移動部材４３が第２送りねじ部３４，３６を通過する際に、記録ヘッド２１のノズル形成面２１ａに近接して対向する受容位置（図１１（ｂ）参照）と、その受容位置から離間した非受容位置（図９（ａ）参照）との間を進退移動するようになっている。
【００８１】
そして、その移動途中において、フラッシングボックス８８は、その底面及び脚部９１が拡幅段差部９５に接触することにより、受容位置から非受容位置への移動時には、その姿勢を水平姿勢状態から垂直姿勢状態となる方向へ変化させるようになっている。一方、フラッシングボックス８８は、非受容位置から受容位置への移動時には、その姿勢を垂直姿勢状態から水平姿勢状態となる方向へ変化させるようになっている。
【００８２】
次に、上記のように構成されたプリンタ１０の作用に関し、特にメンテナンスユニット２４の作用に着目して以下説明する。
さて、本実施形態のメンテナンスユニット２４では、キャップ手段を構成するキャップ部材５１、弁手段を構成する弁体６６、払拭手段を構成するワイパ部材７９，８１、及び液体受容手段を構成するフラッシングボックス８８という複数の被駆動部材が互いに動作目的及び動作領域を異にして各々動作する。そこで、以下においては、これら各被駆動部材（キャップ部材５１、弁体６６、ワイパ部材７９，８１、フラッシングボックス８８）における各々のメンテナンス時の動作態様について順次説明することにする。
【００８３】
まず、キャップ手段を構成するキャップ部材５１の動作態様について説明する。
さて、メンテナンスユニット２４が図９（ｃ）に示す状態で、プリンタ１０が用紙Ｐに対する印刷を実行している途中に、記録ヘッド２１のノズル開口２２から目詰まり防止等を目的としてインクを吸引除去するクリーニングを行う場合には、プリンタ１０及びそのメンテナンスユニット２４において以下のような動作がなされる。
【００８４】
すなわち、印刷時にガイド軸１５に沿って印刷領域を往復移動していたキャリッジ１６が図５において二点鎖線で示す位置からキャップ部材５１の上方のホームポジションＨＰまで移動して停止させられる。なお、図５はメンテナンスユニット２４が図９（ａ）に示す状態の場合と対応している。すると、駆動モータ３０が逆転駆動され、リードスクリュ３１，３２が逆転方向へ回転するため、このリードスクリュ３１，３２の逆転方向への回転に伴って、各移動部材４１〜４３がそれぞれ後退移動を開始する。
【００８５】
この時点（図９（ｃ）に示す時点）において、リードスクリュ３１，３２の第１送りねじ部３３，３５に筒状部４４が螺合している移動部材４２，４３は比較的ゆっくりと後退移動する。その一方、この時点でリードスクリュ３１，３２の第２送りねじ部３４，３６に筒状部４４が螺合している移動部材４１は比較的速やかに後退移動し、その際に、この移動部材４１に一体化されたプレート部４８も比較的速やかに後退移動する。
【００８６】
そのため、プレート部４８の案内長孔４９に係入されているキャップホルダ５１ａ側の凸部５４は、図９（ｂ）に示すように、案内長孔４９の斜状部４９ｂに摺動案内されて上方へ速やかに移動する。その結果、図９（ａ）に示すように、キャップ部材５１は最も上方に移動した封止位置状態となり、ホームポジションＨＰに位置する記録ヘッド２１のノズル形成面２１ａをシール部５２の密着作用により封止する。
【００８７】
そして、その状態において、ポンプ用モータ２８の駆動に基づき吸引ポンプ２９が駆動されると、キャップ部材５１のキャップ小室内及びインク排出チューブ５５内が負圧状態となり、記録ヘッド２１の各ノズル開口２２内から増粘したインクが吸引され、その後、吸引ポンプ２９よりも下流側に配設された廃インクタンクへと圧送されて排出される。
【００８８】
このように、メンテナンスユニット２４においては、メンテナンス動作の一種とされるクリーニング動作を行う場合、駆動モータ３０の駆動力によりリードスクリュ３１，３２を回転させる。そして、その際に、同じリードスクリュ３１，３２の軸線Ｓに沿って進退移動する各移動部材４１，４２，４３のうちで第２送りねじ部３４，３６を通過する移動部材４１が案内長孔４９と凸部５４を介して連係状態となっているキャップ部材５１を、その移動部材４１の移動途中に連動して昇降動作させる。
【００８９】
この点で、移動部材４１にとってはキャップ部材５１がリードスクリュ３１，３２からの駆動力を伝達可能な状態で連係する被駆動部材となる。なお、封止位置（すなわち図９（ａ）の状態）にあるキャップ部材５１を非封止位置（すなわち図９（ｃ）の状態）へと移動させる場合には、図９（ａ）の状態において駆動モータ３０が正転駆動される。すると、リードスクリュ３１，３２が正転方向に回転し、移動部材４１とプレート部４８が前進移動するため、キャップ部材５１は案内長孔４９の斜状部４９ｂによりキャップホルダ５１ａの凸部５４が下方へ向けて摺動案内される結果、図９（ｃ）に示す非封止位置へと戻る。
【００９０】
次に、弁手段を有する大気開放弁装置５８の動作態様について説明する。
さて、前述したように、キャップ部材５１により記録ヘッド２１のノズル形成面２１ａを封止してクリーニングを行う場合には、キャップ部材５１のキャップ小室やインク排出チューブ５５内が強制的に負圧状態とされる。したがって、そのクリーニング終了後は、インク排出チューブ５５内などの負圧状態を解消することが必要となる。そのような場合に、メンテナンスユニット２４では以下のような動作がなされる。
【００９１】
すなわち、キャップ部材５１が記録ヘッド２１のノズル形成面２１ａを封止する封止位置状態（図９（ａ）の状態）にあるときに、その状態から駆動モータ３０が更に逆転駆動され、リードスクリュ３１，３２が更に逆転方向へ回転させられる。すると、このリードスクリュ３１，３２の更なる逆転方向への回転に伴って、各移動部材４１〜４３がそれぞれ更に後退移動を開始する。
【００９２】
ここで、メンテナンスユニット２４が図９（ｂ）の状態のときにメンテナンスユニット２４の右側においては押圧片５６が図１２に示す位置にある。そして、その状態時よりも更にリードスクリュ３１，３２が逆転方向へ回転して各移動部材４１〜４３がそれぞれ更に後退移動した図９（ａ）の状態のときには、押圧片５６が大気開放弁装置５８における台座７５の直下位置まで移動する。したがって、この状態からリードスクリュ３１，３２が更に逆転方向へ回転して移動部材４１及びプレート部４８が更に後退移動すると、そのプレート部４８から突設された押圧片５６も同様に、更に後退移動することになる。そして、図９（ａ）に示す状態からプレート部４８が更に後退移動してキャップホルダ５１ａ側の凸部５４が案内長孔４９の前側水平部４９ｃの前端近傍まで摺動案内された時点で、押圧片５６は大気開放弁装置５８におけるレバー部材７０の垂下アーム７４に当接する。
【００９３】
そして、その状態から更にリードスクリュ３１，３２が逆転方向へ回転してプレート部４８が更に後退移動すると、押圧片５６はコイルスプリング７７の付勢力に抗して垂下アーム７４を図１３（ｂ）に示すように押圧して反時計方向に回動させる。すると、レバー部材７０の水平アーム７３が係止片６７を介して弁体６６を持ち上げるため、弁体６６が弁座６５から離間して大気開放位置へと上昇する。その結果、大気に対し連通状態とされた大気開放孔６３及び大気チューブ６４を介してキャップ部材５１のキャップ小室内及びインク排出チューブ５５内の負圧状態が解消される。
【００９４】
このように、メンテナンスユニット２４においては、メンテナンス動作の一種とされる大気開放動作を行う場合、クリーニング動作の場合と同様に、駆動モータ３０の駆動力により同じリードスクリュ３１，３２を回転させる。そして、その際に、同じリードスクリュ３１，３２の軸線Ｓに沿って進退移動する各移動部材４１，４２，４３のうちで押圧片５６を突設したプレート部４８が一体化された移動部材４１が前側の第１送りねじ部３３，３５を比較的ゆっくりと後退移動する途中に、大気開放弁装置５８の弁体６６を連動して上昇させる。
【００９５】
この点で、移動部材４１にとっては、前述したキャップ部材５１と共に、この大気開放弁装置５８の弁体６６も、リードスクリュ３１，３２からの駆動力を伝達可能な状態で連係する被駆動部材となる。なお、開放位置（すなわち、図１３（ｂ）の状態）にある弁体６６を閉鎖位置（すなわち、図１３（ａ）の状態）へと移動させる場合には、図１３（ｂ）の状態において駆動モータ３０が正転駆動される。すると、リードスクリュ３１，３２が正転方向に回転し、移動部材４１とプレート部４８が前進移動し、押圧片５６がレバー部材７０の垂下アーム７４から離間する。その結果、レバー部材７０がコイルスプリング７７の付勢力により図１３（ａ）の状態へと復帰し、レバー部材７０の水平アーム７３が弁体６６の係止片６７から下方へ離間するため、弁体６６は弁座６５に着座した閉鎖位置へと戻る。
【００９６】
次に、払拭手段を構成するワイパ部材７９，８１の動作態様について説明する。
さて、例えば印刷時に記録ヘッド２１のノズル開口２２から用紙Ｐに対して噴射されたインク滴が用紙Ｐからの跳ね返りなどでノズル形成面２１ａに付着するなど、ノズル形成面２１ａにはインクが無用に付着することがある。こうした付着インクは、ノズル開口２２からのインクの噴射方向に影響を与えたりして印刷不良を招くおそれがあるため、払拭除去することが必要となる。そこで、そのような場合に、メンテナンスユニット２４では以下のような動作がなされる。
【００９７】
すなわち、メンテナンスユニット２４が図９（ｃ）に示す状態で、まずキャリッジ１６が図５において二点鎖線で示す位置からキャップ部材５１の上方のホームポジションＨＰまで移動して停止させられる。すると、駆動モータ３０が正転駆動され、リードスクリュ３１，３２が正転方向へ回転させられる。すると、このリードスクリュ３１，３２の正転方向への回転に伴って、各移動部材４１〜４３がそれぞれ前進移動を開始する。
【００９８】
この時点（図９（ｃ）に示す時点）において、リードスクリュ３１，３２の第２送りねじ部３４，３６に筒状部４４が螺合している移動部材４１は、リードスクリュ３１，３２の正転方向への更なる回転に基づき前側の第１送りねじ部３３，３５に至り、その第１送りねじ部３３，３５を比較的ゆっくりと前進移動する。その一方、この時点でリードスクリュ３１，３２の後側の第１送りねじ部３３，３５に筒状部４４が螺合している移動部材４２，４３のうち前側の移動部材４２は、リードスクリュ３１，３２の正転方向への更なる回転に基づき第２送りねじ部３４，３６に至り、その第２送りねじ部３４，３６を比較的速やかに前進移動する。そして、その際には左右一対の移動部材４２間を連結するワイパホルダ７８も比較的速やかに前進移動する。
【００９９】
そのため、このワイパホルダ７８の上面側に装着されているワイパ部材７９も、ワイパホルダ７８と共に、図９（ｃ）に示す非払拭位置から図１０に示す払拭位置へと、前進移動することになり、その前進移動の途中に、ホームポジションＨＰに位置する記録ヘッド２１のノズル形成面２１ａに先端部（上端部）を撓み変形させながら摺接する。そして、このノズル形成面２１ａに対する摺接作用により、ワイパ部材７９はノズル形成面２１ａの全面に亘ってノズル形成面２１ａから付着インクを払拭して除去する。
【０１００】
このように、メンテナンスユニット２４においては、メンテナンス動作の一種とされる払拭（ワイピング）動作を行う場合、クリーニング動作及び大気開放動作を各々行う場合と同様に、駆動モータ３０の駆動力により同じリードスクリュ３１，３２を回転させる。そして、その際に、同じリードスクリュ３１，３２の軸線Ｓに沿って進退移動する各移動部材４１，４２，４３のうちで第２送りねじ部３４，３６を通過する移動部材４２がワイパホルダ７８を介して連係状態となっているワイパ部材７９を、その移動部材４２の移動途中に連動して進退動作させる。
【０１０１】
この点で、移動部材４２にとってはワイパ部材７９がリードスクリュ３１，３２からの駆動力を伝達可能な状態で連係する被駆動部材となる。なお、非払拭位置（すなわち図９（ｃ）の状態）にあったワイパ部材７９を払拭位置（すなわち図１０の状態）へと移動させてノズル形成面２１ａを払拭した後において、そのワイパ部材７９を元の非払拭位置へ移動させる場合には、駆動モータ３０が逆転駆動される。すると、リードスクリュ３１，３２が逆転方向に回転し、移動部材４２とワイパホルダ７８が後退移動するため、ワイパ部材７９は、移動部材４２及びワイパホルダ７８と共に図９（ｃ）に示す元の非払拭位置へと戻る。
【０１０２】
また、例えばインクの噴射頻度の多少を考慮して、ノズル形成面２１ａの全面に亘ってノズル形成面２１ａから付着インクを払拭するのではなく、一列単位でノズル列形成領域を払拭する場合には、前述した全列用のワイパ部材７９の代わりに、移動部材４３にワイパホルダ８０を介して連係された単列用のワイパ部材８１が使用される。
【０１０３】
この場合には、キャリッジ１６がホームポジションＨＰまで移動される前段階で、まずリードスクリュ３１，３２を正転方向へ回転させ、前述した全列用のワイパ部材７９を移動部材４２と共に図９（ｃ）に示す位置状態から図１０に示す位置状態へと移動させ、更に、図１１（ａ）に示す位置状態となるまで移動させておく。
【０１０４】
そして、この時点で、キャリッジ１６をホームポジションＨＰまで移動させて停止させる。なお、その際には、払拭対象とされる１つのノズル列の形成領域とワイパ部材８１の前後方向に沿う移動経路とが位置的に対応するように、キャリッジ１６を移動調節する。その後、リードスクリュ３１，３２を再び正転方向へ回転させる。すると、図１１に示す位置状態から、移動部材４３及びワイパホルダ８０が更にホームポジションＨＰにある記録ヘッド２１のノズル形成面２１ａの下方を通過して後退移動するため、単列用のワイパ部材８１がノズル形成面２１ａの一部（その際に払拭対象とされた１つのノズル列の形成領域のみ）を払拭する。
【０１０５】
このように、メンテナンスユニット２４においては、メンテナンス動作の一種とされる払拭（ワイピング）動作を行う場合、ノズル形成面２１ａの全面を払拭する場合と、その一部のみを払拭する場合とで、全列用のワイパ部材７９と単列用のワイパ部材８１が使い分けされる。そして、何れのワイパ部材７９，８１を使用して払拭動作を行う場合にも、クリーニング動作及び大気開放動作を各々行う場合と同様に、駆動モータ３０の駆動力により同じリードスクリュ３１，３２を回転させる。そして、ノズル形成面２１ａの一部のみを払拭する際には、同じリードスクリュ３１，３２の軸線Ｓに沿って進退移動する各移動部材４１，４２，４３のうちで第２送りねじ部３４，３６を通過する移動部材４３がワイパホルダ８０を介して連係状態となっているワイパ部材８１を、その移動部材４３の移動途中に連動して進退動作させる。
【０１０６】
この点で、移動部材４３にとってはワイパ部材８１がリードスクリュ３１，３２からの駆動力を伝達可能な状態で連係する被駆動部材となる。なお、非払拭位置にあったワイパ部材８１を払拭位置へと移動させてノズル形成面２１ａを払拭した後において、そのワイパ部材８１を元の非払拭位置へ移動させる場合には、駆動モータ３０が逆転駆動される。すると、リードスクリュ３１，３２が逆転方向に回転し、移動部材４３とワイパホルダ８０が後退移動するため、ワイパ部材８１は、移動部材４３及びワイパホルダ８０と共に図９（ｃ）に示す元の非払拭位置へと戻る。
【０１０７】
最後に、液体受容手段を構成するフラッシングボックス８８の動作態様について説明する。
さて、メンテナンスユニット２４が図９（ｃ）に示す状態で、プリンタ１０が用紙Ｐに対する印刷を実行している途中に、記録ヘッド２１内にノズル開口２２と個別対応させて設けられた圧電素子（図示略）を印刷とは無関係の制御信号に基づき作動させて各ノズル開口２２からインクを吐出させるフラッシング動作を行う場合がある。こうしたフラッシング動作を行う場合、プリンタ１０及びそのメンテナンスユニット２４においては以下のような動作がなされる。
【０１０８】
すなわち、キャリッジ１６がホームポジションＨＰまで移動される前段階で、まずリードスクリュ３１，３２を正転方向へ回転させ、ワイパ部材７９を移動部材４２と共に図９（ｃ）に示す位置状態から図１０に示す位置状態へと移動させ、更に、図１１（ａ）に示す位置状態となるまで移動させておく。ここまでは、前述した単列用のワイパ部材８１の使用による払拭動作の場合と同じである。しかし、フラッシング動作を行う場合には、この時点では未だキャリッジ１６をホームポジションＨＰまで移動させず、更に、駆動モータ３０を逆転駆動して、リードスクリュ３１，３２を逆転方向へ回転させる。
【０１０９】
すると、図１１（ａ）に示す状態から、リードスクリュ３１，３２の更なる正転方向への回転に伴い、移動部材４３及びワイパホルダ８０が更にホームポジションＨＰの下方を通過して前進移動し、図１１（ｂ）に示すように、移動部材４３が前側の第１送りねじ部３３，３５まで至る。なお、この場合、移動部材４３と共にワイパホルダ８０の上面側に装着された単列用のワイパ部材８１もホームポジションＨＰの下方を通過して前進移動するが、この時点ではキャリッジ１６が未だホームポジションＨＰに移動していないので、ノズル形成面２１ａが不必要に払拭されることはない。
【０１１０】
ここで、図９（ｃ）の状態から図１１（ｂ）の状態に至るまでの間におけるフラッシングボックス８８の姿勢変化について見てみると、移動部材４３が前進移動を開始する前には図９（ｃ）に示すように略垂直状態となっている。ところが、リードスクリュ３１，３２の正転方向への回転に伴い、移動部材４３が後側の第１送りねじ部３３，３５を次第に前方側へと移動する途中で、フラッシングボックス８８は、その一端側（上端側）のピン部８８ｄを回動中心にして図９〜図１０における時計方向へと回動変位する。すなわち、フラッシングボックス８８は、キャリッジ１６の往復移動方向（左右方向）と直交する前後方向に沿って移動しながら、その姿勢を変化させる。
【０１１１】
その際、最初のうちは脚部９１がコイルスプリング９４の付勢力によりホルダ部材５０における支柱部５０ａの基部５０ｂに当接しているが、移動部材４３が図１０に示す位置状態から更に前進移動すると、図１１（ａ）に示すように、フラッシングボックス８８は底面が支柱部５０ａの拡幅段差部９５に乗り上げるようになる。そして、その状態から、更にリードスクリュ３１，３２が正転方向へ回転されると、移動部材４３が第２送りねじ部３４，３６に至る。
【０１１２】
すると、その時点から移動部材４３がそれまでよりも速やかに前進移動して前側の第１送りねじ部３３，３５まで至り、フラッシングボックス８８は、その脚部９１が支柱部５０ａの拡幅段差部９５上に支持された水平姿勢状態でホームポジションＨＰの直下に位置する受容位置状態となる。そして、この時点で、キャリッジ１６がフラッシングボックス８８の直近上方となるホームポジションＨＰまで移動して停止させられ、フラッシングボックス８８は、その開口部８８ａが記録ヘッド２１のノズル形成面２１ａに近接して対向するようになる。その後、記録ヘッド２１の各ノズル開口２２からフラッシングのためのインク吐出が行われると、その吐出されたインクはフラッシングボックス８８内に収納された液体吸収材８８ｂに吸収保持される。
【０１１３】
このように、メンテナンスユニット２４においては、メンテナンス動作の一種とされるフラッシング動作を行う場合、クリーニング動作、大気開放動作、及び払拭動作の場合と同様に、駆動モータ３０の駆動力により同じリードスクリュ３１，３２を回転させる。そして、その際には、同じリードスクリュ３１，３２の軸線Ｓに沿って進退移動する各移動部材４１，４２，４３のうちで移動部材４３がワイパホルダ８０を介して連係状態となっているフラッシングボックス８８を、その移動部材４３の移動途中に連動して進退及び変位動作させる。
【０１１４】
この点で、移動部材４３にとっては、前述したワイパ部材８１と共に、このフラッシングボックス８８も、リードスクリュ３１，３２からの駆動力を伝達可能な状態で連係する被駆動部材となる。なお、フラッシング終了後に、受容位置（すなわち図１１（ｂ）の状態）にあるフラッシングボックス８８を非受容位置（すなわち、図９（ａ）〜（ｃ）の状態）へと移動させる場合には、図１１（ｂ）の状態において駆動モータ３０が逆転駆動される。すると、リードスクリュ３１，３２が逆転方向に回転し、移動部材４３とワイパホルダ８０が後退移動するため、フラッシングボックス８８がコイルスプリング９４の付勢力で脚部９１が支柱部５０ａの基部５０ｂに当接する方向へ回動付勢される結果、例えば図９（ｃ）に示す非受容位置へと戻る。
【０１１５】
また、プリンタ１０が電源オフされるときには、リードスクリュ３１，３２が更に逆転方向へ回転されて移動部材４３が図９（ａ）に示す位置状態まで後退移動するため、フラッシングボックス８８はピン部８８ｄを回動中心にして垂直姿勢状態となるように回動してその開口部８８ａがシール板８４により閉鎖される。そして、その際にはコイルスプリング８６がシール板８４をフラッシングボックス８８側に向けて付勢するため、フラッシングボックス８８は、その開口部８８ａのシール性が確保される。
【０１１６】
なお、図１５は、リードスクリュ３１，３２の回転量［ｒｅｖ］に応じた各移動部材４１〜４３の移動距離を示したものであり、同図には移動部材４１の移動距離を実線Ａで、移動部材４２の移動距離を実線Ｂで、そして、移動部材４３の移動距離を実線Ｃで示している。この図１５からも理解されるように、各移動部材４１〜４３は、各々が同じリードスクリュ３１，３２に装着されて、そのリードスクリュ３１，３２の軸線Ｓ方向に沿って移動する構成であっても、そのリードスクリュ３１，３２の回転量に応じて各々がリードスクリュ３１，３２の軸線Ｓ方向において位置を異ならせて移動することになる。
【０１１７】
また、各移動部材４１〜４３の移動距離を示す各実線Ａ，Ｂ，Ｃが急激に立ち上がっている箇所は、各移動部材４１〜４３がリードスクリュ３１，３２の第２送りねじ部３４，３６を通過していることを示している。また、図１５において一点鎖線Ｐ０で示すリードスクリュ３１，３２の回転量はリードスクリュ３１，３２の原点位置を示すものであり、この一点鎖線Ｐ０で示す回転量（回転角度）を基準として図示しない制御装置（ＣＰＵ）が駆動モータ３０の駆動状態を制御することになる。また、リードスクリュ３１，３２の回転量が図１５において一点鎖線Ｐ０よりも左側となるＶｏｐｅｎ領域の回転量の場合は、キャップ部材５１が記録ヘッド２１のノズル形成面２１ａを封止する封止位置にあると共に、移動部材４１の押圧片５６が大気開放弁装置５８におけるレバー部材７０を押圧して弁体６６を開放位置に上昇させることになる。
【０１１８】
以上説明した実施形態によれば、以下の効果を得ることができる。
（１）メンテナンスユニット２４が有する複数の被駆動部材（キャップ部材５１、弁体６６、ワイパ部材７９，８１、フラッシングボックス８８）に対して同じリードスクリュ３１，３２からの駆動力を移動部材４１，４２，４３が移動する際に連係することにより伝達可能とされている。したがって、プリンタ１０における互いに動作目的及び動作領域を異にして配置された複数の被駆動部材（キャップ部材５１、弁体６６、ワイパ部材７９，８１、フラッシングボックス８８）に対して、リードスクリュ３１，３２及び移動部材４１，４２，４３からなる駆動力伝達構造の小型化及び簡略化を図りつつ駆動力を確実に伝達することができる。
【０１１９】
（２）移動部材４１はキャップ部材５１用の連係部（案内長孔７９）と大気開放弁装置５８の弁体６６用の連係部（押圧片５６）を有し、移動部材４２はワイパ部材７９用の連係部（ワイパホルダ７８）を有し、移動部材４３はワイパ部材８１用の連係部とフラッシングボックス用の連係部とを兼ねる連係部（ワイパホルダ８０）を有している。そして、各移動部材４１，４２，４３はリードスクリュ３１，３２の回転に伴い進退移動する際、各々が有する連係部を介して連係状態となった被駆動部材（キャップ部材５１、弁体６６、ワイパ部材７９，８１、フラッシングボックス８８）を他の被駆動部材とは別に独自の動作させるようになっている。したがって、プリンタ１０における複数の被駆動部材（キャップ部材５１、弁体６６、ワイパ部材７９，８１、フラッシングボックス８８）を、各移動部材４１，４２，４３の移動途中に被駆動部材毎に個別動作させることができる。
【０１２０】
（３）駆動力伝達部材及び送り部材を構成するリードスクリュ３１，３２は、長棒状をなす部材であるため、プリンタ１０の本体ケース１１内及びメンテナンスユニット２４内における設置スペースが確保しやすい。したがって、その分、プリンタ１０の小型化に貢献できる。
【０１２１】
（４）リードスクリュ３１，３２を等速度で回転させても、各移動部材４１，４２，４３が第１送りねじ部３３，３５に係合しながら移動する場合と第２送りねじ部３４，３６に係合しながら移動する場合とで、各移動部材４１，４２，４３が進退移動する速度に差を持たせることが可能となる。すなわち、第１送りねじ部３３，３５に係合しながら移動する場合よりも第２送りねじ部３４，３６に係合しながら移動する場合の方が、移動部材４１，４２，４３は速やかに移動する。したがって、各移動部材４１，４２，４３と個別対応する被駆動部材（キャップ部材５１、弁体６６、ワイパ部材７９，８１、フラッシングボックス８８）を、その移動部材４１，４２，４３が第２送りねじ部３４，３６に係合しながら移動する場合には迅速に動作させることができるようになる。
【０１２２】
（５）リードスクリュ３１，３２の軸線Ｓ方向に沿って各移動部材４１，４２，４３が順次に移動するその移動順に従って、各被駆動部材（キャップ部材５１、弁体６６、ワイパ部材７９，８１、フラッシングボックス８８）もリードスクリュ３１，３２の軸線Ｓ方向において順次に動作を開始する構成とされている。したがって、リードスクリュ３１，３２の回転量を制御することにより第２送りねじ部３４，３６を移動通過させる移動部材４１，４２，４３を選択することで、そのプリンタ１０（メンテナンスユニット２４）において動作させたい被駆動部材を所望どおりに動作させることができる。
【０１２３】
（６）駆動力伝達部材及び送り部材を構成するリードスクリュ３１，３２は特別部品ではなく汎用部品であることから、このリードスクリュ３１，３２を利用することにより、プリンタ１０（メンテナンスユニット２４）における駆動力伝達構造の小型化と簡略化を容易に図ることができる。
【０１２４】
なお、上記実施形態は以下のような別の実施形態（別例）に変更しても良い。
・  上記実施形態において、複数ある被駆動部材（キャップ部材５１、弁体６６、ワイパ部材７９，８１、フラッシングボックス８８）は、少なくとも２つの被駆動部材がメンテナンスユニット２４に設けられたものであってもよい。
【０１２５】
・  上記実施形態において、リードスクリュ３１，３２にて構成された駆動力伝達部材は、軸線Ｓ方向に沿ってスライド移動するシャフトなどのスライド部材であってもよい。この場合には、そのシャフトの長手方向に沿って所定間隔をおいて少なくとも１つの移動部材を装着し、そのシャフトのスライド移動に伴い進退移動する移動部材が複数の被駆動部材に対して連係状態となった場合に、それら各被駆動部材を各々動作させる構成とするのが好ましい。
【０１２６】
・  上記実施形態において、リードスクリュ３１，３２はそのねじ溝４７が同一ピッチで螺旋状をなすものであってもよい。
・  上記実施形態において、移動部材は、リードスクリュ３１，３２に螺合する雌ねじ孔が形成されたナット部材により構成されたものであってもよい。この場合は、雌ねじ孔が係合部となる。
【０１２７】
・  上記実施形態において、移動部材４１，４２，４３とは別の移動部材をリードスクリュ３１，３２の軸線Ｓ方向において移動部材４３よりも更に後側に装着し、この移動部材の後退移動時にその移動部材に設けた押圧片５６により大気開放弁装置５８のレバー部材７０を押圧して回動させることにより弁体６６を開閉動作させる構成としてもよい。換言すると、複数ある被駆動部材の数に相当する数の移動部材をリードスクリュ３１，３２の軸線Ｓ方向に装着し、各移動部材に各被駆動部材と個別対応する連係部を１つずつ設ける構成としてもよい。
【０１２８】
・  上記実施形態において、移動部材４３における連係部としてのワイパホルダ８０には、単列用のワイパ部材８１が設けられていなくてもよい。
・  上記実施形態において、押圧片５６は、移動部材４１のプレート部４８ではなく、移動部材４２（もしくはワイパホルダ７８）又は移動部材４３（もしくはワイパホルダ８０）に設けられた構成であってもよい。
【０１２９】
・  上記実施形態において、移動部材は各移動部材４１，４２，４３のうち何れか１つの移動部材のみとしてもよい。すなわち、その１つの移動部材に案内長孔４９が形成されたプレート部４８を一体形成すると共に、ワイパ部材７９を装着したワイパホルダ７８を連結し、そのワイパホルダ７８にフラッシングボックス８８を軸支すると共に押圧片５６を一体形成してもよい。このようにすれば、１つの移動部材で、キャップ部材５１と弁体６６とワイパ部材７９とフラッシングボックス８８という４つの被駆動部材を、その１つの移動部材の移動途中に各々動作させることが可能となる。換言すると、１つの移動部材には３つ以上の被駆動部材と連係するように連係部を設け、それら３つ以上の被駆動部材を移動途中に連係して動作させるようにしてもよい。
【０１３０】
・  上記実施形態では、インクカートリッジ２３がキャリッジ１６に搭載されたオンキャリッジタイプのインクジェット式プリンタに具体化したが、これに限らず、オフキャリッジタイプのインクジェット式プリンタに具体化しても良い。
【０１３１】
・  上記実施形態においては、液体噴射装置として、インクを吐出するプリンタ１０について説明したが、その他の液体噴射装置であっても良い。例えば、ファックス、コピア等を含む印刷装置や、液晶ディスプレイ、ＥＬディスプレイ及び面発光ディスプレイの製造などに用いられる電極材や色材などの液体を噴射する液体噴射装置、バイオチップ製造に用いられる生体有機物を噴射する液体噴射装置、精密ピペットとしての試料噴射装置であっても良い。また、液体もインクに限られず、他の液体に応用しても良い。
【０１３２】
・  さらに、液体噴射装置に限らず、リードスクリュと移動部材とを備えて構成される駆動力伝達装置により動作目的及び動作領域を異にして各々配設された複数の被駆動部材を各々動作させるようにした機械装置（例えば、工作機械など）に具体化してもよい。
【図面の簡単な説明】
【０１３３】
【図１】実施形態のプリンタの斜視図。
【図２】記録ヘッドの底面図。
【図３】メンテナンスユニットを右側前方から見た場合の斜視図。
【図４】メンテナンスユニットを左側後方から見た場合の斜視図。
【図５】メンテナンスユニットの平面図。
【図６】メンテナンスユニットにおけるユニット本体内の構造を示す斜視図。
【図７】リードスクリュの斜視図。
【図８】リードスクリュと移動部材の筒状部の係合状態を示す断面図。
【図９】メンテナンスユニットの要部を示す概略図であって、（ａ）はキャップ部材が封止位置にある場合の概略図、（ｂ）はキャップ部材が昇降途中にある場合の概略図、（ｃ）はキャップ部材が非封止位置にある場合の概略図。
【図１０】全列用のワイパ部材が払拭位置にある場合のメンテナンスユニットの要部を示す概略図。
【図１１】メンテナンスユニットの要部を示す概略図であって、（ａ）は単列用のワイパ部材が払拭位置にある場合の概略図、（ｂ）はフラッシングボックスが液体受容位置にある場合の概略図。
【図１２】大気開放弁装置と押圧片の位置関係を示す説明図であって、（ａ）はその平面図、（ｂ）はその正面図。
【図１３】（ａ）は図１２（ａ）におけるＶ−Ｖ線矢視断面図、（ｂ）は（ａ）の状態から押圧片が後退した状態を示す断面図。
【図１４】フラッシングボックスの斜視図。
【図１５】リードスクリュの回転量と各移動部材の移動距離との関係を示すグラフ。
【符号の説明】
【０１３４】
１０…液体噴射装置及び機械装置としてのインクジェット式プリンタ、２１…液体噴射ヘッドとしての記録ヘッド、２１ａ…ノズル形成面、３１，３２…駆動力伝達装置を構成する送り部材としてのリードスクリュ、３３，３５…第１送りねじ部、３４，３６…第２送りねじ部、４１，４２，４３…駆動力伝達装置を構成する移動部材、４６…係合部としてのピン、４９…連係部としての案内長孔、５１…キャップ手段を構成する被駆動部材としてのキャップ部材、５５…液体流路を構成するインク排出チューブ、５６…連係部としての押圧片、６６…弁手段を構成する被駆動部材としての弁体、７８，８０…連係部としてのワイパホルダ、７９，８１…払拭手段を構成する被駆動部材としてのワイパ部材、８８…液体受容手段を構成する被駆動部材としてのフラッシングボックス、Ｓ…軸線。
【図１】
0004508115.tif 000002
【図２】
0004508115.tif 000003
【図３】
0004508115.tif 000004
【図４】
0004508115.tif 000005
【図５】
0004508115.tif 000006
【図６】
0004508115.tif 000007
【図７】
0004508115.tif 000008
【図８】
0004508115.tif 000009
【図９】
0004508115.tif 000010
【図１０】
0004508115.tif 000011
【図１１】
0004508115.tif 000012
【図１２】
0004508115.tif 000013
【図１３】
0004508115.tif 000014
【図１４】
0004508115.tif 000015
【図１５】
0004508115.tif 000016